(57)【特許請求の範囲】
【請求項１】
食器を洗浄するとともに矩形の底面を有する洗浄槽と、前記洗浄槽内に設置し食器を配置する食器かごと、前記洗浄槽内底部に着脱可能に固定される軸部を有するとともに噴射形態が異なる複数の洗浄ノズルと、を備え、前記複数の洗浄ノズルの軸部はそれぞれ、外径が異なる構成とした食器洗い機。
【発明の詳細な説明】
【０００１】
【発明の属する技術分野】
本発明は、食器の洗浄を行う食器洗い機に関するものである。
【０００２】
【従来の技術】
従来、この種の食器洗い機は図３および図４に示すように構成していた。以下、その構成について説明する。
【０００３】
図３および図４に示すように、食器洗い機本体１は、横幅が長く、奥行が短い底面が矩形に形成し、台所への設置を容易にしている。なお、底面の形状は横幅が短く、奥行が長い矩形のものもある。この食器洗い機本体１の内部に内底面が矩形の洗浄槽２を設け、洗浄槽２の内底部に洗浄ノズル３を２個回転自在に設けている。
【０００４】
この洗浄槽２内へ、給水弁４により水または湯を供給するようにしている。駆動時において洗浄水は、排水孔５の他側部に連通したポンプ室に取り付けられ、モータ５によって駆動される洗浄ポンプ７により、洗浄槽２の内部を循環する。すなわち、この循環は、洗浄水が排水孔５から洗浄ポンプ７に吸いこまれ、洗浄ポンプ７より洗浄ノズル３に供給され、洗浄ノズル３から噴射されて、食器を洗浄した後、再び排水孔５に戻るという経路で行われる。
【０００５】
この場合、洗浄ノズル３は回転するため、洗浄ノズル７３の長さは、内底面が矩形の洗浄槽２の短い方の寸法（この場合前後方向）により決定される。したがって、内底面が矩形の洗浄槽２の内部の隅々を洗うために、長い横幅に対して、洗浄ノズル３を複数個（ここでは２個）設けている。
【０００６】
洗浄ノズル３と洗浄槽２の底部との間には、洗浄水加熱用のヒータ８を装備している。また、洗浄ノズル３の上方には、食器９を整然と配置でき、洗浄水を効果的に食器に噴射するように構成した食器かご１０を設置している。
【０００７】
また、洗浄槽２の前面部には、開閉自在な扉１１を取り付けている。食器かご１０には複数の移動用ローラを配設し、開放した扉１１の上部を食器洗い機本体１の前面外部へ引き出し可能になっている。また、排水ポンプ１２は、排水ホース１３を通して洗浄水を機外に排出するものである。
【０００８】
ここで、洗浄ノズル３の構成を説明すると、図５に示すように、洗浄ノズル３は、その回転中心部に洗浄ノズル３内に洗浄水を案内する軸部１４を設け、洗浄槽２の底部に、洗浄ノズル３の軸部１４を軸支する軸支部１５を配設し、この軸支部１５に洗浄ノズル３の軸部１４を挿入して洗浄ノズル３を回転自在に支持している。また、洗浄ノズル３の軸部１４の近傍に爪部１６を設け、軸支部１５から簡単には外れないよう構成している。
【０００９】
さらに、洗浄ノズル３は、洗浄ポンプ７から洗浄水を供給されて、その洗浄水を噴射し、食器９を洗浄する。また、洗浄水を噴射してその噴射反力により洗浄ノズル３は軸支部１５を中心に回転する。
【００１０】
【発明が解決しようとする課題】
このような従来の構成では、内底面が矩形の洗浄槽２の内部に食器９を配置する際に、似た形状の食器を並べる方が効率的に配置できるため、効率的な配置を行なうには、皿類と、椀類がそれぞれ片寄って配置される。
【００１１】
一方、２個の洗浄ノズル３から噴射される洗浄水は、配置された食器９の種類に関係なく、ほぼ同一方向に噴射されており、食器９の種類に応じて効率的な洗浄ができないという問題を有していた。
【００１２】
本発明は上記従来の課題を解決するもので、皿類、椀類などの食器の種類に応じた配置に対して、有効な噴射方向を設定した噴射形態の洗浄ノズルを配設し、食器の種類に応じた洗浄水を噴射させ、効率よく洗浄できるようにすることを目的としている。
【００１３】
【課題を解決するための手段】
本発明は上記目的を達成するために、食器を洗浄し矩形の底面を有する洗浄槽内に食器を配置する食器かごを設置し、洗浄槽内底部に着脱可能に固定される軸部を有するとともに噴射形態が異なる複数の洗浄ノズルを設け、複数の洗浄ノズルの軸部はそれぞれ外径が異なる構成としたものである。
【００１４】
これにより、皿類、椀類などの食器の種類に応じた配置に対して、有効な噴射方向を設定した噴射形態の洗浄ノズルを配設することができ、食器の種類に応じた洗浄水を噴射させることができ、効率よく洗浄することができる。
【００１５】
【発明の実施の形態】
本発明の請求項１に記載の発明は、食器を洗浄するとともに矩形の底面を有する洗浄槽と、洗浄槽内に設置し食器を配置する食器かごと、洗浄槽内底部に着脱可能に固定される軸部を有するとともに噴射形態が異なる複数の洗浄ノズルと、を備え、複数の洗浄ノズルの軸部はそれぞれ、外径が異なる食器洗い機であり、皿類、椀類などの食器の種類に応じた配置に対して、有効な噴射方向を設定した噴射形態の洗浄ノズルを配設することができ、食器の種類に応じた洗浄水を噴射させることができ、効率よく洗浄することができる。また、生産段階またはユーザーの使用時点において、複数の洗浄ノズルが逆に配設され、洗浄に不具合が生じるのを防止することができる。
【００１６】
【実施例】
以下、本発明の一実施例について、図面を参照しながら説明する。
【００１７】
図１に示すように、食器洗い機本体１７は、内部に洗浄槽１８を設け、この洗浄槽１８は、内底面が横幅が長く、奥行が短い矩形に形成し、食器１９を配置した食器かご２０を設置している。食器かご２０は、左側に椀類１９ａを配置し、右側に皿類１９ｂを配置するようにしている。
【００１８】
洗浄槽１７内に２個の洗浄ノズル２１、２２を左右に並べて回転自在に配設し、左側の洗浄ノズル２１は椀類１９ａの洗浄に適するように傾斜させた噴射水を主体とした噴射形態に設定し、右側の洗浄ノズル２２は皿類１９ｂの洗浄に適するように上方への噴射水を主体とした噴射形態に設定している。
【００１９】
洗浄ノズル２１は、図２に示すように、その回転中心部に洗浄ノズル２１内に洗浄水を案内する軸部２３を設け、洗浄槽１８の底部に洗浄ノズル２１の軸部２３に対して外包するように軸支する軸支部２４を配置し、この軸支部２４に洗浄ノズル２１の軸部２３を挿入して洗浄ノズル２１を回転自在に支持している。また、洗浄ノズル２１の軸部２３の近傍に爪部２５を設け、洗浄ノズル２１が軸支部２４から簡単には外れないよう構成している。
【００２０】
また、洗浄ノズル２２は、その回転中心部に洗浄ノズル２２内に洗浄水を案内する軸部２６を設け、洗浄槽１８の底部に洗浄ノズル２２の軸部２６に対して外包するように軸支する軸支部２７を配置し、この軸支部２７に洗浄ノズル２２の軸部２６を挿入して洗浄ノズル２２を回転自在に支持している。また、洗浄ノズル２２の軸部２６の近傍に爪部２８を設け、洗浄ノズル２２が軸支部２７から簡単には外れないよう構成している。
【００２１】
ここで、洗浄ノズル２２の軸部２６の外径は、洗浄ノズル２１に対応する軸支部２４の内径に対して、挿入できない寸法に設定している。また、洗浄ノズル２１の軸部２３の外径は小さく設定しており、その近傍に配置されている爪部２５が洗浄ノズル２２に対応する軸支部２７に当接し、挿入できない寸法に設定にしている。
【００２２】
上記構成において動作を説明する。食器かご２０の左側に椀類１９ａを配置し、右側に皿類１９ｂを配置して、運転を開始すると、モータによって駆動される洗浄ポンプにより、洗浄水が洗浄ノズル２１、２２に供給され、洗浄ノズル２１、２２は洗浄水を噴射しながら回転し、食器１９を洗浄する。
【００２３】
このとき、洗浄ノズル２１は、図１の矢印で示すように、椀類１９ａの洗浄に適するように洗浄水を傾斜させて噴射し、椀類１９ａを効率よく洗浄することができ、また、洗浄ノズル２２は、皿類１９ｂの洗浄に適するよう洗浄水を上方への噴射し、皿類１９ｂを効率よく洗浄することができる。
【００２４】
このように２つの洗浄ノズル２１、２２は噴射形態が相互に異なり、洗浄槽１８内のそれぞれの洗浄部分を受け持っている。したがって、洗浄ノズル２１、２２は、当然ながら逆に配置されては、食器１９の洗浄が十分に発揮できなくなる。
【００２５】
このため、洗浄ノズル２１、２２は生産工程においても、ユーザーが使用している場合（例えば洗浄ノズル２１、２２の掃除のために取り外した後再度装着する場合）においても、正規の位置に装着されなければならない。
【００２６】
本発明においては、洗浄ノズル２２の軸部２６の外径は、洗浄ノズル２１に対応する軸支部２４の内径に対して、挿入できない寸法に設定し、また、洗浄ノズル２１の軸部２３の外径は小さく設定し、その近傍に配置されている爪部２５が洗浄ノズル２２に対応する軸支部２７に当接し、挿入できない寸法に設定にしているのて、洗浄ノズル２１、２２をセットする場合に、間違えて挿入しようとした場合に充分に気付くことができ、確実に、洗浄する対象の食器に対応した所定の位置にセットすることができる。
【００２７】
【発明の効果】
以上のように本発明の請求項１に記載の発明によれば、食器を洗浄するとともに矩形の底面を有する洗浄槽と、洗浄槽内に設置し食器を配置する食器かごと、洗浄槽内底部に着脱可能に固定される軸部を有するとともに噴射形態が異なる複数の洗浄ノズルと、を備え、複数の洗浄ノズルの軸部はそれぞれ、外径が異なる食器洗い機であるから、皿類、椀類などの食器の種類に応じた配置に対して、有効な噴射方向を設定した噴射形態の洗浄ノズルを配設することができ、食器の種類に応じた洗浄水を噴射させることができ、効率よく洗浄することができる。また、生産段階またはユーザーの使用時点において、複数の洗浄ノズルを間違えて配設され、洗浄に不具合が生じるのを防止することができる。
【図面の簡単な説明】
【図１】  本発明の一実施例の食器洗い機の一部切欠した正面図
【図２】  同食器洗い機の要部分解斜視図
【図３】  従来の食器洗い機の扉を開いた状態の斜視図
【図４】  同食器洗い機の縦断面図
【図５】  同食器洗い機の要部拡大断面図
【符号の説明】
１８  洗浄槽
１９  食器
２０  食器かご
２１  洗浄ノズル
２２  洗浄ノズル
２３  軸部
２４  軸支部
２６  軸部
２７  軸支部
【図１】
0004144115.tif 000002
【図２】
0004144115.tif 000003
【図３】
0004144115.tif 000004
【図４】
0004144115.tif 000005
【図５】
0004144115.tif 000006